【事件の表示】
　上記当事者間の登録第４３９５４５４号商標の登録取消審判事件について、次のとおり審決する。
【結　論】
　本件審判の請求は、成り立たない。
　審判費用は、請求人の負担とする。
【理　由】
１　本件商標
　本件登録第４３９５４５４号商標（以下、「本件商標」という。）は、「デソンシーワン」の片仮名文字を横書きしてなり、平成１１年６月３０日に登録出願、第３３類「焼酎，その他の日本酒，洋酒，中国酒，薬味酒」を指定商品として、同１２年６月３０日に設定登録、現に有効に存続しているものである。
　　
２　請求人の主張及び答弁に対する弁駁の要点
　請求人は、「本件商標の登録を取り消す、審判費用は被請求人の負担とするとの審決を求める。」と申し立て、その理由及び答弁に対する弁駁の要点を次の通り述べ、証拠方法として甲第１号証ないし甲第２４号証を提出した。
（１）請求理由の要点
（ア）本件商標は、出願当時、請求人の日本国販売代理店であった株式会社巨林ジャパン（以下「巨林ジャパン」という。）の代表者朴正植が、正当な理由なく、商標権に相当する権利を有する請求人の承諾なく出願したものである。
（イ）請求人（デソン　ディスティリング　カンパニー　リミテッド、漢字名称：大鮮酒造株式会社）は、１９３０年設立の韓国大手の焼酎メーカーである。
　請求人は、１９９６年に、韓国において、本件商標「Ｃ１」及び商標「シーウォン」（「Ｃ１」のハングル読み、日本語で「シーワン」に相当する。）を付した「焼酎」の販売を開始した。当該商品は、発売当初から継続的なヒット商品となっており、釜山の焼酎市場において９０％以上の市場占有率を誇る請求人の主力商品である。また、商標「Ｃ１」は請求人の業務に係る商品「焼酎」を示す商標として、少なくとも韓国では周知の商標となっている（甲第１２号証ないし甲第１４号証）。
（ウ）本件商標は、韓国大手の焼酎メーカーである請求人の会社名称「大鮮（デソン）酒造株式会社」（英文名：ＤＡＥＳＵＮ　ＤＩＳＴＩＬＬＩＮＧ　ＣＯ．，ＬＴＤ・デソン　ディスティリング　カンパニー　リミテッド）とその主要商品商標「Ｃ１」の読みを結合させた、カタカナ表記「デソンシーワン」とした商標であり、まさしく、請求人名称と主要商品名を音訳したものであって、請求人の業務に係る商品を表示する商標である。
（エ）請求人は、１９９８年１０月に、被請求人が代表を務める巨林ジャパンと、請求人の製品「Ｃ１」焼酎の輸出契約を結び、日本国における販売権を与えたが、巨林ジャパンの「Ｃ１」焼酎の販売不振、総額約６億９千万ウォン（約７千万円）の無利子貸与金の返済の遅滞、本件商標の商標権移転の条件として、請求人に対する１５億ウオン（約１億６千万円）もの金員の要求等、信頼関係及び取引関係を継続し難い事由によって、２００５年４月３０日に巨林ジャパンとの契約を解除した。
　また、併せて、巨林ジャパンに対し、本件商標権移転の履行を求めたが未だ行われていない。
（オ）本件商標は、請求人の業務に係る商品の商標であって、被請求人が使用する権利を専有できるものではない。
　また、本件商標は、請求人の業務に係る外国周知商標ともいえるところ、
被請求人が代表権を有する巨林ジャパンが、もはや請求人の真正品の輸入販売権を有しない一方、酒類の輸入販売業者として、請求人以外の者の商品の取引が可能であることに鑑みても、被請求人が本件商標の独占排他権を有することは、商取引の秩序上からも妥当ではない。
（カ）よって、本件商標は、代理人の不当な出願による登録であるから、商標法第５３条の２の規定により、その登録は取り消されるべきである。しか
も、本件商標の登録は、外国周知商標について真に権利を有する者の利益を害し、取引の秩序を乱す虞もあるから（商標法第４条第１項第１９号若しくは同法第４条第１項第７号該当）、被請求人が請求人への本件商標の商標権移転を行わない限り、本件商標の登録は取消されるべきである。
（２）答弁に対する弁駁の要点
（ア）請求人は、本件商標と類似する商標について、韓国登録第３４６１４２号商標、同第３５３１３３号商標及び同第６３８３９５号商標を有する。
　韓国登録第３４６１４２号商標、同第３５３１３３号商標（以下、「引用各商標」という。）より生ずるものと認められる「シーウォン」及び「シウォン」の称呼と、本件商標より生ずるものと認められる「シーワン」の称呼とは称呼上類似するものである。
　また、当該ハングル文字は「爽やか、清らか、涼しい」という意味の韓国語「シウォンハダ」の意にも通じるため、英語の「Ｃｌｅａｎ」の意に通じる。
　さらに、本件商標の指定商品と引用各商標の指定商品とは同一又は類似するものであるから、本件商標は、引用各商標と類似する。
　そして、引用登録第６３８３９５号は、２００５年「平成１７年」１１月９日の登録であるが、韓国における当該商標の登録は、日本と同様に先後願の要件における審査が行われる当該国において、請求人の当該商標と同一類似の商標に関して他者の商標権がないことを示すものであり、当該商標よりは、「シーワン」「シーウォン」及び「シウォン」の称呼を生じるものであるから、本件商標とは類似する。
　他方、本件商標は、請求人の名称「大鮮」（デソン）と「シーワン」を結合させた商標であるから、これよりは「デソンシーワン」「デソン」及び「シーワン」の称呼を生じる。
　したがって、請求人は、本件商標と同一又は類似する商標についてパリ条約同盟国において商標に関する権利（商標権に相当する権利に限る。）を有する者であって、かつ、本件商標と同一又は類似の周知商標の所有者である。
（イ）本件商標は、その出願当時、請求人の商品「Ｃ１」焼酎の日本輸入販売代理店の代表取締役であった被請求人によって、請求人の承諾を得ずに出願されたものである。
　被請求人は、本件商標出願時、請求人の商品「Ｃ１」焼酎の日本輸入販売代理店であった巨林ジャパンの代表取締役であることを認め、当事者であることを認めている。
　また、被請求人は、出願時、本件商標登録出願について、請求人の承諾を得ていなかったことを認めている。
　被請求人は、有限会社（２０００年より株式会社）巨林ジャパンと請求人との間で取り交わした契約書において、請求人が本件商標を登録したことについて事後的に承諾したことを主張している。
　しかしながら、被請求人が、本件商標登録の事後的承諾の根拠とする契約書第１１条においては、「契約解除と同時に商標権に対する全ての権利も甲（請求人）に帰属され、また、日本国商標法上　甲に帰属させる諸般の手続に対して協力する。」ことが合意されている。
　以上のとおり、結果として、本件商標は、その出願時、請求人の代理人であった巨林ジャパンの代表取締役であった被請求人が、請求人の承諾なく出願したものである。
（ウ）被請求人は、本件商標を付した商品の販売元としての巨林ジャパンの取引上の信用は保護されるべきであると主張しているが、本件商標はその構成上、請求人名称「デソン」とその主力商品「シーワン」からなるものである。また、本件商標「デソンシーワン」は、請求人：大鮮（デソン）酒造の商品「Ｃ１」焼酎の商標と認識されると認められることから、被請求人が独占排他権を有すべき商標ではない。
　むしろ、「Ｃ１」焼酎を製造・輸出販売する請求人：大鮮（デソン）酒造が、日本市場において、自己の主力製品に係る商標を使用できなくなる場合の不利益と、他社製品に本件商標「デソンシーワン」が使用された場合の取引上の混乱及び損失の方が多大である。
　
３　被請求人の答弁の要点
　被請求人は、結論同旨の審決を求めると答弁し、その理由を要旨次の通り述べ、証拠方法として乙第１号証ないし乙第４号証を提出した。
（１）請求人が、商標法第５３条の２に基づいて商標権の取消審判の請求をするためには、パリ条約同盟国である大韓民国において「商標に関する権利（商標権に相当する権利に限る）」を有している必要がある。
　大韓民国においては、請求人提出の証拠（甲第９号証ないし甲第１１号証）を見ても明らかなとおり、わが国と同様登録制による商標権と意匠権という２種類の権利が存在しており、商標権と意匠権とは別々の権利として明確に区別されている。法は、「商標に関する権利」について、括弧書きにおいて「商標権に相当する権利」に明確に限定しているところ、大韓民国においては登録制による商標権制度が存在する以上、「商標権に相当する権利」とは商標として登録されているものに限定される。
　請求人が権利を有する韓国意匠登録第２０３７２８号はあくまでも意匠権であるから、「商標に相当する権利」にはあたらず、「商標に関する権利」に該当しない以上、同権利は、請求人による本件商標の取り消し審判請求の根拠とはならない。
（２）本件商標は、請求人「デソン　ディスティリングカンパニー　リミテッド」が大韓民国において関する権利を有する商標（大韓民国商標登録番号３４６１４２号、以下「請求人商標」という。）と同一又は類似の関係にない。
　本件商標は、「デソンシーワン」と書してなるものであり、日本語の片仮名７文字からなるものであるのに対し、請求人商標は、ハングル２文字からなるものである。両者は、使用言語も文字数も異なるものであり、外観上何ら類似性がない。
　本件商標は、「デソンシーワン」「デソン」「デソンシー」などと称呼されるものであるのに対し、請求人商標は、ハングルで表記されているものであり、わが国の一般世人においては、そもそもこれが何と称呼されるものであるのか、理解できないものである。このような、どのように称呼されるか理解されないものと、本件商標の称呼とが誤認混同されることはありえない。
　仮に、請求人商標が、甲第１１号証の訳文記載のとおり「シーウォン」と称呼されるものであることを前提として考えた場合でも、請求人商標には本件商標の「デソン」の部分に対応する部分がそもそも存在しない。
　また、本件商標「デソンシーワン」と、請求人の有するハングルの商標とは対比するまでもなく、非類似の商標であること明らかであり、両者は観念上も類似しない。　
　以上のとおり、本件商標と請求人商標とは同一又は類似の商標ではない。
（３）被請求人が代表取締役を務める巨林ジャパンは、１９９８年（平成１０年）１０月、請求人との間で、請求人商品「Ｃ１」焼酎の輸出契約を締結し、以後２００５年４月に請求人から契約解除通知がなされるまでの約６年半にわたり、上記「Ｃ１」焼酎の日本国内での輸入販売業務を行ってきた。
　被請求人は、本件商標の出願に際し、請求人の承諾を得ていなかった。
　しかしながら、その後、両者の間には、新しい輸出契約が締結された。
　そして、新しい輸出契約書（乙第１号証）の第１１条（２）において「乙がシーワン（Ｃ１）焼酎の商標使用のため日本特許庁に商標権を取得したことに対して認定する」ことが規定されている。
　このように、請求人は、被請求人が行った本件商標の登録出願を、事後的にではあるが明確に承諾している。
　さらに、本件商標の登録は、２０００年（平成１２年）６月３０日であるが、２００１年（平成１３年）１月に締結された輸出契約書（乙第２号証）でも同様の規定が存在する。
　よって、本件取消審判の請求は、商標法第５３条の２の要件を充足していないものであるから、その請求は成り立たない。
（４）加えて、「シーワン（Ｃ１）」焼酎の商標ラベルの裏面には販売元として「株式会社巨林ジャパン」の名称が表示されている。
　また、パンフレット（乙第３号証）や封筒（甲第４号証）にも、「株式会社巨林ジャパン」を併記してきた。
　そして、日本国内での輸入販売は、１９９８年より既に６年に及んでいる。
　したがって、取引先には、巨林ジャパンが本件商標を付した商品の販売元であるとして、浸透し強く認識されている。
　
４　当審の判断
（１）商標法第５３条の２に規定する商標登録の取消しの審判を請求するための要件は、「１）登録商標がパリ条約の同盟国、世界貿易機関の加盟国若しくは商標法条約の締約国において商標に関する権利（商標権に相当する権利に限る。）を有する者の当該権利に係る商標又はこれに類似する商標であって当該権利に係る商品若しくは役務又はこれらに類似する商品若しくは役務を指定商品又は指定役務とするものであり、２）その商標登録出願が、正当な理由がないのに、その商標に関する権利を有する者の承諾を得ないでその代理人若しくは代表者又は当該商標登録出願の日前一年以内に代理人若しくは代表者であった者によってされたものであるとき」である。
（２）そこで、これを本件について検討するに、
　まず、請求人が本件取消審判の請求の根拠とする登録商標として、韓国意匠登録第２０３７２８号、韓国商標登録第３４６１４２号及び弁駁書において追加した韓国商標登録第３５３１３３号登録及び韓国商標登録第６３８３９５号を引用している。
　上記引用のうち韓国意匠登録は、商標法第５３条の２において「商標に関する権利（商標権に相当する権利に限る。）」と明確に規定しているものであるから、韓国意匠登録が本件取消審判の請求の根拠とはなり得ないこと明らかである。
　また、同じく韓国商標登録第６３８３９５号は、２００５年「平成１７年」１月３１日出願、２００５年「平成１７年」１１月１日登録に係るものであり、これは、本件商標の登録日である２０００年「平成１２年」６月３０日より後のものであるから、当該商標も本件取消審判の請求の根拠とはなり得ないものとみるのが相当である。
　そうとすれば、本件取消審判の請求の根拠となり得るのは、韓国商標登録第３４６１４２号及び韓国商標登録第３５３１３３号登録（以下これらを「引用各商標」という。）であると認められる。
　そこで、本件商標と引用各商標の類否について検討するに、本件商標は上記したとおり「デソンシーワン」の片仮名文字を横書きしてなるものである。
　請求人は、構成中の「デソン」は請求人の周知の名称「大鮮酒造株式会社」中の「大鮮」の文字の韓国読みであり、「シーワン」は請求人の取り扱いに係る主力商品であって、韓国において周知性を取得している「シーワン（Ｃ１）焼酎」の文字を連綴し「デソンシーワン」と表示したにすぎないから、構成中の「シーワン」の文字部分より「シーワン」の称呼をも生ずると主張している。
　しかしながら、その提出に係る証拠資料は殆どが韓国内のものであり、「デソン」又は「シーワン」よりなる商標が、本件商標の登録出願時（平成１１年「１９９９年」６月３０日）に我が国において、取引者・需要者の間に広く認識されていた事実を証する書面の提出は見当たらない。
　そうとすれば、本件商標は、これに接する取引者・需要者をして、特定の語義若しくは意味合いを有しない一体不可分の造語商標として認識するものとであって、「デソンシーワン」の文字に相応し「デソンシーワン」の称呼を生ずるものと判断するのが相当である。
　他方、引用各商標は、いずれもハングル語の２文字からなるところ、近年我が国においてハングル語を目にする機会が増えているとしても、ハングル語の表記自体から特定の発音あるいは意味を理解することが出来る程に親しまれている語とはいえないから、引用各商標から特定の称呼、観念を生じないものといわなければならない。
　してみれば、本件商標と引用各商標は、前記のとおりの構成よりなるから、外観上区別できるものであって、称呼及び観念は比較できないものであるから、本件商標と引用各商標は、外観、称呼及び観念の何れにおいて非類似の商標であるとみるのが相当である。
　したがって、引用各商標は、パリ条約の同盟国、世界貿易機関の加盟国若しくは商標法条約の締約国において商標に関する権利（商標権に相当する権利に限る。）を有する者の当該権利に係る商標又はこれに類似する商標ということができないものである。
（３）つぎに、請求人は、「本件商標は、出願当時、請求人の日本国販売代理店であった株式会社巨林ジャパンの代表者朴正植が、正当な理由なく、商標権に相当する権利を有する請求人の承諾なく出願したものである。」旨主張している。
（４）そこで、請求人提出に係る甲各号証について精査するに、請求人提出に係る甲第３号証（株式会社巨林ジャパンの会社概要）には「平成１０・９　韓国（株）大鮮酒造　日本総代理店　契約締結」とあるが、その事実を証する書面（例えば、契約書等）は何ら提出されていない。
　また、甲第５号証には、請求人と巨林ジャパンの商品「Ｃ１焼酎」の取引を示すオーダーシートがあるが、これは、両者間の商品取引の事実を示すにすぎないものである。
　結局、請求人提出に係る甲各号証中で、両者の契約関係を明確に確認できる書面は、甲第２２号証及び甲第２３号証の輸出契約書のみである。
　しかしながら、甲第２２号証の輸出契約書の契約年月日は１９９９年（平成１１年）１０月１１日、甲第２３号証の輸出契約書の契約年月日は２００１年（平成１３年）１月であり、該契約年月日は、本件商標の登録出願日である１９９９年（平成１１年）６月３０日より後のものである。
　してみれば、本件商標の登録出願は、商標法第５３条の２に規定される「その商標に関する権利を有する者の承諾を得ないでその代理人若しくは代表者又は当該商標登録出願の日前一年以内に代理人若しくは代表者であった者によってされたもの」ということはできない。
（５）したがって、本件取消審判請求は、商標法第５３条の２に規定された要件を満たしていないから、本件商標についての登録は、取り消すべき限りでない。
　よって、結論のとおり審決する。